Podtech/llm-jp-corpus-v4-ja_patent huggingface dataset:
(57)【要約】      （修正有）【課題】訪問者や参加者が依頼、指示された通りに遂行されているのか派遣企業や依頼者等が把握できるシステムを提供する。【解決手段】（イ）ＱＲコード（登録商標）記載のカード・ＩＣカード・ＧＰＳカード・ＧＰＳ，ＩＣカード対応携帯電話や携帯端末を依頼者宅へ設置、参加者が携帯し訪問者・企画者のＧＰＳ，ＩＣカード対応携帯電話や携帯端末で読み込み使用する。（ロ）該読込みに応じてセンターのサーバへアクセスし依頼者や企業、親へ開始、終了の時間やメッセージをメールにて案内、連絡する。【選択図】図２
2009266182.tif 000002
【特許請求の範囲】
【請求項１】
（イ）ＱＲコードを記載したカード及びＩＣカード・ＧＰＳ機能を持ったカードとＧＰＳ機能を持った端末及び携帯電話を使用した訪問、確認システムである。
（ロ）個人宅への訪問介護や防犯確認や企業へのサポート訪問に使用する。
（ハ）野外や教室に参加する児童の来場確認に使用する。
（ニ）各カードや端末には個人情報は記載されない。
（ホ）読取には携帯電話や専用の端末が必要である。
（ヘ）端末はセンター接続時に認証を行う事により使用者の識別を行う。
（ト）個人の認証はセンター登録により行うが端末使用者には表示できない。
また、各カードには個人情報は記載されていない。
（チ）カードの読込み後センターに登録されている宛先にＥ−Ｍａｉｌが送信され訪問や来場の時間などが通知される。
（リ）緊急性がある場合は再度カードを読みメモを入力し送信することが可能である。
（ヌ）訪問終了時や解散時にカードを読み終了時間のＥ−Ｍａｉｌを送ることによる終了案内とする。
（ル）カードは複数読込みが可能であり読み込みデーターがセンターに送信された時に個別にＥ−Ｍａｉｌが送信される。
【発明の詳細な説明】
【技術分野】
【０００１】このシステムは、携帯電話や無線ＬＡＮ環境及びその他の通信手段によるインターネットを使用した確認システムである。
ＱＲコードを記載したカードやＩＣカード、ＧＰＳカード、ＧＰＳ対応の携帯端末、ＩＣカード・ＧＰＳ対応携帯電話で使用するものである。
このシステムの名称は  訪問・来場・集合確認システム  である。
【背景技術】
【０００２】従来、訪問看護者宅へ、ヘルパーが何時に訪問し何時に終了したかが依頼者や派遣企業が把握できずに訪問者の自己申告になっており管理が難しかった。
また、児童や子供、生徒が各施設で行われる講習や練習場所に何時に行ったのか何時に終わって帰ったのか親に報告できなかった。
企業に関しては修理、サポートで訪問した際の訪問作業開始、終了の把握が難しくまた離れた所の作業状態が依頼者と派遣企業で確認できなかった。
このような依頼者や企業の悩みを解決するシステムである。
【発明の開示】
【発明が解決しようとする課題】
【０００３】以前は次のような欠点があった
（イ）依頼者が訪問や来場・集合・参加開始時間や終了時間の正確な実態が把握できなかった。
（ロ）依頼が正確に遂行されているのかわからなかった。
（ハ）児童・生徒・ヘルパー本当に行っているのかわからなかった。
（ニ）個人申告の為、実動時間の集計が正確に行えなかった。
【課題を解決するための手段】
【０００４】（イ）携帯電話や無線ＬＡＮ環境及びその他の通信手段によるインターネットを使用し、開始時間や終了時間の確認を行う。
ＱＲコードを記載したカードやＩＣカード、ＧＰＳカードを訪問先へ設置また、来場者や参加者がＱＲコードを記載したカードやＩＣカード、ＧＰＳカード・ＧＰＳ対応の携帯端末、ＩＣカード・ＧＰＳ対応携帯電話へソフトをインストールした物を参加者が持参する事で個人を識別し依頼企業や主催者のＩＣカード・ＧＰＳ対応の携帯電話や携帯端末で読み込みを行う。
（ロ）訪問先設置や来場者、参加者持参のＱＲコードを記載したカードやＩＣカード、ＧＰＳカードＧＰＳ対応の携帯端末、ＩＣカード・ＧＰＳ対応携帯電話を訪問者や会場責任者がＱＲコード・ＩＣカード・ＧＰＳ対応の携帯電話や携帯端末で読込む事でセンターのサーバーへアクセスし依頼者や企業、親へ開始、終了の時間やメッセージをメールにて案内、連絡する。
（ハ）訪問先設置や来場者、参加者持参のＱＲコードを記載したカードやＩＣカード、ＧＰＳカードＧＰＳ対応の携帯端末、ＩＣカード・ＧＰＳ対応携帯電話には個人を特定する情報は記載されていない個人情報はセンターサーバーにて管理されている。
【発明の効果】
【０００５】このシステムを訪問依頼者宅又は児童や生徒が携帯し、参加場所へ行った時に依頼者と企業間の信頼と言う効果が出る
（イ）依頼者への正確な訪問、来場時間が通知される事により依頼業務の遂行状況が管理され信頼感が生まれる。
（ロ）派遣企業において、正確な作業時間と訪問管理が行える。
（ハ）入退出時間の正確な管理が行える
（ニ）児童や生徒の防犯に役立つ
（ホ）緊急情報を即時に伝達が可能となる
【発明を実施するための最良の形態】
【０００６】このシステムを運用するに当たり
（イ）ＱＲを記載したカードやＧＰＳ情報を確認できるＧＰＳカード、携帯電話などを個人宅・企業・児童・子供・生徒へ設置または携帯させる。
（ロ）携帯・設置した物へは個人情報となりうる物は記載されていない。
（ハ）不正アクセスやインターネットを介したウイルスへの対応環境を整備し登録者と登録企業以外のアクセスを遮断する。
（ニ）月末には当月の集計結果を確認できる。
（ホ）登録情報はコンピュータとサーバーによって管理され使用者へは表示されない。
【図面の簡単な説明】
【０００７】
【図１】当システムを使用した構成表である
【図２】当システムを使用したフローチャートである
【図１】
2009266182.tif 000003
【図２】
2009266182.tif 000004
(57)【要約】【課題】  本発明は、ご飯を平らに置き、半分のご飯の上に具を乗せて、半分を折り曲げてＵ字型になるように工夫したＵ型米飯サンドの調理具を提供する。【解決手段】  矩形状の本体（２）の中央に本体中央部（４）を設け、本体中央部（４）に折り曲げ部支点（５）折り曲げ部支点（６）を設け、押さえ蓋ケース（１）の内側の中央部に押さえ蓋ケースＵ型部（３）を設け、本体（２）と押さえ蓋ケース（１）を組み合わせＵ型米飯サンドの調理具。【選択図】図１
2009065960.tif 000002
【特許請求の範囲】
【請求項１】
矩形状の本体（２）の中央に本体中央部（４）を設け、本体中央部（４）に折り曲げ部支点（５）折り曲げ部支点（６）を設け、押さえ蓋ケース（１）の内側の中央部に押さえ蓋ケースＵ型部（３）を設け、本体（２）と押さえ蓋ケース（１）を組み合わせＵ型米飯サンドの調理具。
【発明の詳細な説明】
【技術分野】
【０００１】  本発明は、ご飯を平らに置き、半分のご飯の上に具を乗せて、半分を折り曲げてＵ字型になるように工夫したＵ型米飯サンドの調理具に関するものである。
【背景技術】
【０００２】  従来、木枠型押し寿司、樹脂系のお握り形成器があるがこれらの調理器は、食すると持手回りから具が漏れ落ちる。
当方が海苔巻きを製作中に孫娘が手伝うと言うので作らせてみたら、上手に巻けずに平らな挟み海苔巻きが出来ました。
それ以来、各種お握り、サンドイッチを購入実食し、寿司、お握りロボットの資料を取り寄せて研究し、電子図書も活用しました（特許文献１）（実用新案文献１）。
【特許文献１】特開２００７−２９０７３号公報
【実用新案文献１】
実開平７−２８３９５号公報
【発明の開示】
【発明が解決しようとする課題】
【０００３】    そのために次のような問題点があった。
（イ）回り、四辺が開いているので中味の具が漏れる。
（ロ）一辺をきちんと閉じているお握り、サンドイッチが無かった。
（ハ）家庭単独用、業務用に製作できる器具が無い。
本発明は、これらの問題点を解決しようとしたものである。
【課題が解決するための手段】
【０００４】  矩形状の本体（２）の中央に本体中央部（４）を設け、本体中央部（４）に折り曲げ部支点（５）折り曲げ部支点（６）を設け、押さえ蓋ケース（１）の内側の中央部に押さえ蓋ケースＵ型部（３）を設け、本体（２）と押さえ蓋ケース（１）を組み合わせＵ型米飯サンドの調理具。
【発明の効果】
【０００５】  本発明は、大量生産する場合、コンベア上で連続設置により可能になり、単独では好きな数量を簡単に作ることが出来る。
蓋状の押さえケースが、本体に置いたご飯を安定させるのでこぼれない。
一辺がＵ型の構造のため、食べる際に具が漏れ落ちない。
主食、副食が一緒に食べることが出来る。
サンドイッチ、ハンバーガ感覚の米飯食である。
米離れ現象の防止にて、米消費増につながる。
【発明を実施するための最良の形態】
【０００６】  以下、本発明の実施の形態を説明する。
矩形状の本体（２）の中央に本体中央部（４）を設ける。
本体中央部（４）に折り曲げ部支点（５）、折り曲げ部支点（６）を設ける。
押さえ蓋ケース（１）の内側の中央部に押さえ蓋ケースＵ型部（３）を設ける。
本体（２）と押さえ蓋ケース（１）を組み合わせる。
本発明は以上のような構成よりなるＵ型米飯サンドの調理具である。
本発明を使用する時は、本体全体にご飯（７）を平均の厚さに敷き詰める（図２）。
押さえケースを本体の上からかぶせて均等に押さえケースを外すと、本体のＵ型部分にご飯が入り中心にＵ型のくぼみが出来る（図３）。
具（８）をご飯の端からＵ型部分の約３分の１まで均等に置く（図４）。
本体の折り曲げ部支点（５）を直角に、次に（６）を曲げて、本体の上下が平行に成るまでゆっくり倒して上下を押さえ合わせる（図５）。
押さえ部を元に戻し、Ｕ型米飯サンドを取り出す（図６）。
本発明は、以上の構成よりなっている。
【図面の簡単な説明】
【０００７】
【図１】本発明の斜視図である。
【図２】本発明の使用状態を示した側面図である。
【図３】本発明の使用状態を示した側面図である。
【図４】本発明の使用状態を示した側面図である。
【図５】本発明の使用状態を示した側面図である。
【図６】本発明の出来上がりＵ型米飯サンドの状態を示した側面図である。
【符号の説明】
【０００８】    １  押さえ蓋ケース
２  本体
３  押さえ蓋ケースＵ型部
４  本体中央部
５  折り曲げ部支点
６  折り曲げ部支点
７  ご飯
８  具
【図１】
2009065960.tif 000003
【図２】
2009065960.tif 000004
【図３】
2009065960.tif 000005
【図４】
2009065960.tif 000006
【図５】
2009065960.tif 000007
【図６】
2009065960.tif 000008
(57)【要約】      （修正有）【課題】はと麦の独特の臭い・苦味を取り除いた、はと麦のクッキーと新しい調理法を提供する。【解決手段】はと麦の有する独特な臭い・苦味を軽減させる目的で、はと麦を茶色くなるまで焙煎する。該焙煎はと麦と小麦粉、砂糖、塩、バターまたは植物油、鶏卵及び水を主材料として、はと麦焙煎クッキーを製造する。なお、クッキー重量の半分から四半分の重量を焙煎はと麦とする。このようにすることによって、はと麦を、薬としてではなく、食材の一種として美味しく、継続的に一定量を摂取することができる。【選択図】なし【特許請求の範囲】
【請求項１】
はと麦、小麦粉、砂糖、塩、バター又は植物油、鶏卵及び水を主材料とする。そのうちできあがったクッキーの重量半分から四半分の重量をはと麦とする。そのはと麦は苦味・臭いを除去する目的で茶色くなるまで焙煎、その後粉末にし、通常のクッキーと同様に調理製造する方法で得られるはと麦焙煎クッキーの調理方法。
【発明の詳細な説明】
【技術分野】
【０００１】
この発明は、はと麦の特有な臭い・苦味を軽減させ、食材の一種として、美味しく、日々の健康維持、簡単に継続的に一定量を摂取するため、はと麦をクッキーとして食する方法を発明した。
【背景技術】
【０００２】
はと麦は、古来から漢方薬・民間薬として効能は広く知られている。しかし、独特の臭い・苦味のため食べにくく、調理方法も限定される。
【０００３】
はと麦を、薬としてではなく、食材の一種として美味しく、日々の健康維持、簡単に継続的に一定量を摂取するため、はと麦をクッキーとして食する方法を発明した。
【発明の開示】
【発明が解決しようとする課題】
【０００４】
はと麦は、独特の臭い・苦味のため食べにくい。調理方法も限定される。
本発明は以上の問題点を解決するためになされたものである。
【課題を解決するための手段】
【０００５】
はと麦、小麦粉、砂糖、塩、バター又は植物油、鶏卵及び水を主材料とする。そのうちできあがったクッキーの重量半分から四半分の重量をはと麦とし、はと麦は苦味・臭いを除去する目的で茶色くなるまで焙煎、その後粉末にし、通常のクッキーと同様に調理製造する方法で得られるはと麦焙煎クッキーの製法に関する手段である。
【０００６】
はと麦の焙煎の目安は８０−１００ｇなら鍋にいれた白いはと麦の７５％以上９０％以下が茶色くなるまで加熱、鉄フライパンでガスなら３分くらい、電磁調理器なら１０−１５分（２００℃）、目安は香ばしい香りが充満するまで。
【発明の効果】
【０００７】
本発明は、はと麦の独特の臭い・苦味を取り除き、焙煎したはと麦のクッキーと新しい調理法を提供できるものである。
【発明を実施するための最良の形態】
【０００８】
本発明の構成は、以上の説明で示すとおりであるが、これを用いるときは、焙煎したはと麦のクッキーとして単独で食するだけでなく、他の食材を添付することによりティータイムの菓子として、当クッキー間に食材を挟み込む事により新たな健康維持増進効果を期待して食することが可能であり、時間・場所を限定せずに手軽に摂取することが可能である。
【実施例】
【０００９】
はと麦、小麦粉、砂糖、塩、バター又は植物油、鶏卵及び水を主材料とした生地組成および下記工程によりはと麦焙煎クッキーを得た。
できあがるクッキーの重量半分から四半分を目安にしたはと麦を臭いと水分を飛ばす目的で茶色になるまで焙煎、冷却したのちに粉末にしたものを主材料と混ぜ通常のクッキーと同様に製造する。
常温で固まらない場合には生地を棒状に整形し冷却固形化後、切断して加熱調理する。
臭いと味の嗜好に合わせ、また味と臭いを消すために桂皮や生姜等を主材料に混入する。
(57)【要約】【課題】  従来は、ハエ取りリボンは天井から吊り下げる方法で使用されるのが一般的であったが、ハエが沢山付着してくると、非常に見苦しくなると共に非衛生的な印象が避けられなかった。  天井がそれほど高くない場合は、ハエ取りリボンが人間の行動範囲と重なることとなり、ハエ取りリボンと接触し、着衣や器具、材料などにリボンの粘液が付着してしまうケースも発生していた。  人が通行しない壁面付近にハエ取りリボンを設置した場合は、窓や送風機などからの風を受けてなびき、壁や機械などに付着してしまう場合も見られた。【解決手段】  筒形で蛇腹状のカバーの中空の中心部を通るようにハエ取りリボンを差し込み、ハエ取りリボンとカバーを同時に引き延ばすことで、ハエ取りリボンの粘着部分全体をカバーで覆うように取り付ける。  蛇腹状のカバー側面にハエが通過できる大きさの穴を多数設け、ハエ取りリボンの性能を十分に発揮できる構造とする。【選択図】図２
2009065919.tif 000002
【特許請求の範囲】
【請求項１】
筒形の蛇腹状で、側面にハエが通過できる大きさの円形、四角形等の多数の穴を設けたハエ取りリボンカバー。
【発明の詳細な説明】
【技術分野】
【０００１】
本発明は、食品加工工場や飲食店などハエが好んで集まる場所で一般的に使用されている吊り下げ式のハエ取りリボンに、その性能を損なうことなく外見的美観を向上させ、さらに粘着部分への接触等を防止することで、ハエ取りリボンの利便性向上と利用分野を拡大させることを企図したものである。
【背景技術】
【０００２】
食品工場や飲食店などのハエが好んで集まる場所では、吊り下げ式のハエ取りリボンが一般的によく使われているが、上下の両端部分を除けばほとんど全体が粘着質のリボンがむき出しとなっており、美観や使い勝手の面で改善すべき点が多かったにも拘わらず現在に至るまで有効な改善策が講じられていなかった。
【発明の開示】
【発明が解決しようとする課題】
【０００３】
従来は、ハエ取りリボンは天井から吊り下げる方法で使用されるのが一般的であったが、ハエが沢山付着してくると、非常に見苦しくなると共に非衛生的な印象が避けられなかった。
【０００４】
天井がそれほど高くない場合は、ハエ取りリボンが人間の行動範囲と重なることとなり、不用意な動作を行った場合にハエ取りリボンと接触し、着衣や器具、材料などにリボンの粘液が付着してしまうケースも発生していた。
【０００５】
人が通行しない壁面付近にハエ取りリボンを設置した場合は、窓や送風機などからの風を受けてなびき、壁や機械などに付着してしまう場合も見られた。
【課題を解決するための手段】
【０００６】
筒形で蛇腹状のカバーの中空の中心部を通るようにハエ取りリボンを差し込み、ハエ取りリボンとカバーを同時に引き延ばすことで、ハエ取りリボンの粘着部分全体をカバーで覆うように取り付ける。
【０００７】
蛇腹状のカバー側面にハエが通過できる大きさの穴を多数設け、ハエ取りリボンの性能を十分に発揮できる構造とする。
【発明の効果】
【０００８】
沢山のハエが付着しても外部から見えにくいため、外見上の清潔感を維持できる。
【０００９】
ハエ取りリボンの周囲のカバーにより粘着部分が不用意に衣服等に付着することを防止でき、さらにその効果により、ハエ取りリボンの設置場所を壁面などへも自由に設定可能となる。
【００１０】
外見上の問題からこれまで使用を控えていた場所でもハエ取りリボンの使用が可能となる。
【００１１】
これまでのような吊り下げ方法だけでなく、床やテーブル、棚や材料の上などハエが集まりやすい場所に横長や円形状にして直接置いての使用なども可能となる。
【発明を実施するための最良の形態】
【００１２】
蛇腹状のハエ取りリボンカバーを畳んだ状態で中央筒状部分にハエ取りリボンを通し、リボンの両端とカバーの両端を同時に引き延ばすことでハエ取りリボンの全長にわたってカバーが設けられることとなる。
【００１３】
カバーの色彩を変えることで、ハエ取りリボンを使用する場所の雰囲気に合わせ、違和感なく使用することが可能となる。
【実施例１】
【００１４】
図１は、使用前の縮めた状態のハエ取りリボンカバーと、円筒のケースに入った状態のハエ取りリボンである。
【実施例２】
【００１５】
図２は、ハエ取りリボンカバーとハエ取りリボンをそれぞれ別々に引き延ばした状態を示している。
【産業上の利用可能性】
【００１６】
ハエは食品だけでなく廃棄物やゴミ処理場、医療施設などでも発生するため、使いやすいハエ取り用具の需要は広範囲に存在し、本件ハエ取りリボンカバーの有用性は非常に高いと見込まれる。
【００１７】
最近は工場や事務所、店舗などの衛生管理が向上しているため、多数のハエが飛び回る状況はあまり見られなくなっているが、１匹や２匹程度でも飛んでいると来客等の印象を損なう可能性が高いので、使いやすいハエ取りリボンの必要性は高く、発展途上国などではまだまだ十分な量の使用が見込まれるところである。
【図面の簡単な説明】
【００１８】
【図１】ハエ取りリボンカバーとハエ取りリボンの使用前の外観図
【図２】ハエ取りリボンカバーとハエ取りリボンをそれぞれ引き延ばした外観図
【図３】ハエ取りリボンをハエ取りリボンカバーに差し込んだ状態の外観図
【図４】ハエ取りリボンカバーの平面外観図
【符号の説明】
【００１９】
a-縮めた状態のハエ取りリボンカバー
b-縮めた状態のハエ取りリボン
c-引き延ばした状態のハエ取りリボンカバー
d-引き延ばした状態のハエ取りリボン
e-ハエ取りリボンをハエ取りリボンカバーが覆った状態図
【図１】
2009065919.tif 000003
【図２】
2009065919.tif 000004
【図３】
2009065919.tif 000005
【図４】
2009065919.tif 000006
(57)【要約】【課題】    スクリーンに奥行きを与え三次元映像表現を可能とする。【解決手段】不透明度を調節できる液晶シート（Ｓ−１〜Ｓ−ｎ）をならべ、多層スクリーン３として使用する。多層スクリーンの３のうち、不透明なスクリーンは一枚のみであるように、コンピューター４より制御される。そこへプロジェクター１より、コンピューター４で適正に調節された映像を映写する。不透明なスクリーンを映像に同調させ、次々と連続的に変化させることにより残像現象を利用した奥行きを持った映像表現が可能となった。【選択図】図１
2009065629.tif 000002
【特許請求の範囲】
【請求項１】
プロジェクター１の前に、不透明度の調節の出来る液晶シート（Ｓ−１〜Ｓ−ｎ）を多層式に並べ多層スクリーン３をつくることにより鑑賞者とスクリーンとの位置関係が自由で、三次元の奥行きをもった立体映像装置。
【請求項２】
請求項１記載の映像装置において、多層スクリーン３のうち不透明な結像用シートを常に一枚とし、その他のシートは透明にする。不透明な結像用シートは映像と同期して連続的に、コンピューター４がコントローラー６を介して制御するため、網膜の残像効果を利用した立体映像表現が可能な立体映像装置。
【請求項３】
請求項１記載の映像装置において、コンピューター４はコントローラー６を介して、プロジェクター１に付けられたフォーカス送りモーター５を動かすことによって、プロジェクター１と結像用の不透明なスクリーンとの焦点距離を適正に保つ。コンピューター４は映写される不透明な結像用スクリーンとプロジェクター１の位置関係から適正に、コントローラー６を介してフォーカス送りモーター５制御し、また、投影される映像の画角もコンピューター４が適正に制御するため、光学処理が少なく、明るく鮮明な立体映像を可能とした立体映像装置。
【発明の詳細な説明】
【技術分野】
【０００１】本発明は、網膜が持つ残像効果を利用し、多層化された液晶シートに映像を投影することにより、多人数で鑑賞可能な立体映像を具現するものである。
【技術背景】
【０００２】映画装置の発明以来、スクリーンと鑑賞者の位置は固定され、２次元の映像表現に限られてきた。鑑賞者とスクリーンの位置関係が自由で同時に多人数で鑑賞でき、かつスクリーン自体が３次元の広がりを持つ立体映像上映装置はなかった。
【発明の開示】
【発明が解決しようとする課題】
【０００３】従来の立体映像は、特別な観賞用眼鏡を必要としたり、鑑賞者とスクリーンの位置が限られ、自由に鑑賞者が動きながら鑑賞できる立体映像装置はなかった。【０００４】従来の立体映像装置には多くの光学処理が成されており、プロジェクターの光がロスし、鮮明さに欠けた。【０００５】従来のスクリーンで表現できるのは疑似３次元であり、３次元の空間表現が出来る映像装置はなかった。本発明は、これらの課題を解消するためになされたものである。
【課題を解決するための手段】
【０００６】プロジェクター１の前に、電気的に不透明度の調節の出来る液晶シート（Ｓ−１〜Ｓ−ｎ）を多層的に並べ多層スクリーン３をつくることにより鑑賞者とスクリーンとの位置関係が自由な立体映像を可能とした。【０００７】プロジェクター１の焦点距離の調節を、コンピューター４がコントローラー６を介して、フォーカス送りモーター５を制御することによって、任意な不透明なスクリーンとプロジェクター１の位置関係から適正に制御し、また、投影される映像の画角もコンピューター４が適正に制御するため、プロジェクター１以外に、必要とする光学処理がなく、明るく鮮明な立体映像を可能とした。【０００８】多層スクリーン３を構成する液晶シート（Ｓ−１〜Ｓ−ｎ）の不透明度をコンピューター４がコントローラー６を介して制御することで、結像用の不透明スクリーンを常に一枚とし、その不透明スクリーンを、例えばＳ−１からＳ−２４まで順番に連続的に変化させることで、網膜の残像現象を利用した２次元スクリーンでは不可能な立体映像の奥行きの表現を可能にした。
【発明の効果】
【０００９】多層スクリーン３は鑑賞者の位置関係にとらわれないため、鑑賞者は自由な位置から同時に多人数で立体映像が鑑賞可能。実際に３次元の奥行きをもったスクリーンに投影することにより、立体映像の奥行きを鑑賞者が感じやすい。コンピューター４が映像の画角やプロジェクター１のフォーカスを適正に制御するため、多様な映像ソースに対応が出来る。
以下に、本発明の実施の形態について説明する。
（イ）透明度を調節可能な液晶シート（Ｓ−１〜Ｓ−ｎ）をプロジェクター１前に多層式にならべ、多層スクリーン３を作る。多層スクリーン３を構成する液晶シートの数はスクリーンの規模に合わせて任意に増やしたり、減らしたり出来る。多層スクリーン３とコンピューター４はコントローラー６を介して結ばれており、多層スクリーン３は構成する一枚が不透明のとき、その他の構成するスクリーンは透明になるようにコントローラー６を介したコンピューター４により制御される。多層スクリーン３のうち、不透明な状態にあるスクリーンに、プロジェクター１より投影された映像は結像する。
（ロ）映写される映像とスクリーンは、網膜の残像が得られる、１６ＦＰＳ以上の早さでコンピューター４により連続的に切り替えられる。
（ハ）コンピューター４はケーブルにより、プロジェクター１と、またコントローラー６を介して、多層スクリーン３とフォーカス送りモーター５にそれぞれつながれており、コンピューター４にあるＤＶＤスロットなどから、コンピューター４内部にロードされた映像ソースより任意に指定された深度にあるスクリーンを不透明に調節し、フォーカス送りモーター５を介して焦点距離を適正に制御し、映像ソースの画角を適正に調節して、プロジェクター１より映写する。
【発明の実施例】
【００１０】（イ）多層スクリーン３をプロジェクター１の前に置き、プロジェクター１にはフォーカス送りモーター５を装着する。多層スクリーン３とフォーカスお送りモーターをコントローラー６に、コントローラー６とコンピューター４をそれぞれケーブルでつなぐ。プロジェクター１と多層スクリーン３との位置関係は上下左右どちらでもよい。
（ロ）コンピューター４に備え付けのＤＶＤスロットなどから、コンピューター４内部に映像ソースをロードする。
（ハ）コンピューター４はロードされた映像ソースより任意に指定されたスクリーン深度から、液晶シート（Ｓ−１〜Ｓ−ｎ）のうち適正なスクリーン一つを不透明に調節し、その他のスクリーンは透明にする。指定されたスクリーン深度から、フォーカス送りモーター５を介してプロジェクター１のフォーカスを適正に調節し、画角を適正に調節した映像をプロジェクター１より映写し任意に指定された不透明なスクリーンに結像させる。
（ニ）映写される映像とスクリーンは、コンピューター４より映像ソース指定のフレームレートで上映される。フレームレートと同調して不透明なスクリーンの位置も連続的に変化してゆく。
【図面の簡単な説明】
【００１１】
【図１】  本発明の立面図である。
【図２】  本発明の透視図である。
【符号の説明】
【００１２】  １  プロジェクター
２  液晶シート（Ｓ−１〜Ｓ−ｎ）
３  多層スクリーン
４  コンピューター
５  フォーカス送りモーター
６  コントローラー
【図１】
2009065629.tif 000003
【図２】
2009065629.tif 000004
(57)【要約】【課題】ポンプケーシング内部に移動弁を用いないで、駆動部レスのポンプを実現するポンプ装置を提供する。【解決手段】ドーナツ形のポンプケーシングに巻き付けられたコイル２２に直流電流を流すことにより、ポンプケーシング１２内部の空洞にある粉末状の磁性体２６を含んだ循環流体２４を流すことにより、水を圧送する。【選択図】      図１
2009065762.tif 000002
【特許請求の範囲】
【請求項１】
ドーナツ形であって、その内部が空洞のポンプケーシングと、
前記ポンプケーシングに設けられた流体の流入口と流出口と、
前記ポンプケーシングの外部に沿ってソレノイド状に巻き付けられたコイルと、
前記ポンプケーシングの内部に貯留された循環流体と、
前記循環流体に含まれた粉末状の磁性体と、
を有し、
前記コイルに直流電流を流すことにより、前記コイルによって発生した誘導磁界により前記粉末状の磁性体を含んだ循環流体を前記ポンプケーシング内部で一方向に回転させて、前記流入口から流入した液体を前記流出口から吐出する、
ポンプ装置。
【請求項２】
前記流入口と前記流出口に、前記粉末状の磁性体の流出を防止するフィルタをそれぞれ設けた、
請求項１記載のポンプ装置。
【発明の詳細な説明】
【技術分野】
【０００１】
本発明は、モータを用いない駆動部レスのポンプ装置に関するものである。
【背景技術】
【０００２】
従来のポンプ装置においては、水を流すためのモータ等の機械的な部分を有していた。しかしながら、最近燃料電池等における流体を流すために、モータ等を用いない駆動部レスのポンプ装置が提案されている。
【０００３】
例えば、本出願人は先に、ドーナツ形のポンプケーシングの外部にコイルを巻き付け、これらコイルに直流電流を流すことにより、ポンプケーシング内部に配された移動弁を一方向へ移動させて、流入口から水を吸い込み流出口から水を押し出すポンプ装置を提案した（特許文献１参照）。
【特許文献１】特開平９−２８０１６５号公報
【発明の開示】
【発明が解決しようとする課題】
【０００４】
しかしながら上記のような駆動部レスのポンプにおいては、ポンプケーシング内部に移動弁を配し、この移動弁をスムーズに移動させる必要があり、その移動を実現することが難しかった。
【０００５】
そこで、本発明は上記問題点に鑑み、ポンプケーシング内部に移動弁を用いないで、駆動部レスのポンプを実現するポンプ装置を提供する。
【課題を解決するための手段】
【０００６】
本発明は、ドーナツ形であって、その内部が空洞のポンプケーシングと、前記ポンプケーシングに設けられた流体の流入口と流出口と、前記ポンプケーシングの外部に沿ってソレノイド状に巻き付けられたコイルと、前記ポンプケーシングの内部に貯留された循環流体と、前記循環流体に含まれた粉末状の磁性体と、を有し、前記コイルに直流電流を流すことにより、前記コイルによって発生した誘導磁界により前記粉末状の磁性体を含んだ循環流体を前記ポンプケーシング内部で一方向に回転させて、前記流入口から流入した液体を前記流出口から吐出する、ポンプ装置である。
【発明の効果】
【０００７】
本発明のによれば、ポンプケーシング内部を粉末状の磁性体を含んだ循環流体が流れて、流体を流出口から吐出することができる。
【発明を実施するための最良の形態】
【０００８】
以下、本発明の一実施形態のポンプ装置１０について図１に基づいて説明する。
【０００９】
（１）ポンプ装置１０の構成
ポンプ装置１０は、例えば水を送り出すものであり、本体にあたるポンプケーシング１２を有している。このポンプケーシング１２は、ステンレス製、又は合成樹脂製の円管を曲げて、ドーナツ状に形成している。このポンプケーシング１２の外周部の２か所には、水が流れ込むための流入口１４と、水を吐出する流出口１６とが設けられている。この流入口１４と流出口１６とが設けられている位置は、図１に示すように円管状のポンプケーシング１２に対し接線上に設けられ、流入口１４に接続された流入管１８と流出口１６に接続された流出管２０とが直線上になるような形成されている。
【００１０】
ポンプケーシング１２の外周部には、ソレノイド状に巻回されたコイル２２が設けられている。このコイル２２は、図１においては６０度毎に６個設けられている。尚、図１においては２個のコイル２２は、実線でコイル状に巻回した状態で示し、その他のコイル２２は、説明をわかりやすくするために二点鎖線で示している。
【００１１】
ポンプケーシング１２内部には、循環流体２４が貯留され、この循環流体２４には粉末状の磁性体２６が含まれている。この循環流体２４は、本実施形態では水であり、この循環流体２４はポンプ装置１０によって用いる流体に応じて適宜変更する。そしてこの粉末状の磁性体２６を含むことにより、循環流体２４はコロイド状になっている。
【００１２】
ポンプケーシング１２の内部であって、流入口１４と流出口１６にはフィルタ２８，３０が取り付けられている。このフィルタ２８，３０は、ポンプケーシング１２内部から粉末状の磁性体２６が流入口１４と流出口１６から漏れ出ないようにするためのものである。
【００１３】
（２）ポンプ装置１０の動作
ポンプ装置１０の動作状態について説明する。
【００１４】
流入管１８に水を流し、流出管２０にはその水の送る先の送水管を接続する。
【００１５】
コイル２２に直流電流を流すと、ドーナツ形のポンプケーシング１２内部に誘導磁界が発生し、この誘導磁界に反応して粉末状の磁性体２６が、図１において時計回りの方向に流れ出す。粉末状の磁性体２６が流れ出すとそれに伴って循環流体２４も時計回りの方向に流れ出し、流入口１４にある水がその循環流体２４の流れによって流出口１６に吐出され、圧送される。
【００１６】
一方、粉末状の磁性体は、フィルタ２８，３０によって流入口１４及び流出口１６から漏れ出ることなく、ドーナツ形のポンプケーシング１２内部で循環する。
【００１７】
（３）効果
このように本実施形態のポンプ装置であると、モータ等の駆動部分を用いることなく、コイル２２に直流電流を流すだけで、水を送り出すことができる。
【００１８】
また、流入口１４に接続された流入管１８と流出口１６に接続された流出管２０とが直線上になるような形成されているので、水が流れやすい。
【００１９】
また、モータなどの駆動部がないため、ポンプ装置１０を小型化できる。
【００２０】
（４）変更例
本発明は上記各実施形態に限らず、その主旨を逸脱しない限り種々に変更することができる。
【００２１】
例えば、本実施形態のポンプ装置１０は、水を流すためのポンプ装置であるが、水以外の流体、例えば燃料電池における液体状の燃料等を流してもよい。
【００２２】
また、コイル２２の数や位置も上記実施形態の構成に限らす、誘導電界の強さに応じて決めればよい。
【図面の簡単な説明】
【００２３】
【図１】本発明の一実施形態を示すポンプ装置の横断面図である。
【符号の説明】
【００２４】
１０  ポンプ装置
１２  ポンプケーシング
１４  流入口
１６  流出口
２２  コイル
２４  循環流体
２６  磁性体
２８  フィルタ
３０  フィルタ
【図１】
2009065762.tif 000003
(57)【要約】      （修正有）【課題】従来のテープでは自立して表示したいものを支えられる様なものは無く常に何かを表示したいというときは  その後ろに壁面を要した。【解決手段】粘着部１の内部に針金等の線材又は帯状の芯材をテープの長手方向に配置しその芯材の強度で粘着テープだけで自立出来るようにした針金入り粘着テープ。【選択図】なし【特許請求の範囲】
【請求項１】
粘着テープの粘着部１の内部に針金等の線材、又は網状及び帯状の心材２をテープの長手方向に配置したことを特徴とする針金入り粘着テープ。
【発明の詳細な説明】
【技術分野】
【０００１】本発明は、粘着テープ内部に針金等の芯材を入れて、テープに強度と柔軟性を持たせ  ねじ曲げたその形のままを維持出来る特性を持たせた、考案である。
【背景技術】
【０００２】従来、粘着テープは物と物を貼り合わせる機能を有するだけで  内部に心材の入ったテープ類は無かった、例えば  片側一端を貼り付けた面に対して、枝状に上方に自立させることは無理であった。
【発明が解決しようとする課題】
【０００３】テープ類というのは何れも、柔軟性のあるものに粘着力を持たせた物であり、表示したい物を立てて表示するには、透明ケースに入れるか、縦の面に貼り付けて  吊すしか無かった。又接着力はあっても  そのものの引っ張り力は弱かった、本発明はそのような点を解決することを課題とする。
【０００４】この課題を解決するための請求項１の発明は、粘着内部１に針金等の線材  又は網状  及び帯状の芯材２をテープの長手方向に配置し  その表面に剥離紙を貼り付けたもので、従来のテープより強度があり、曲げた形を持続し続ける特性を持つ  針金入り粘着テープである。
【０００５】本発明により、接着力のあるテープに自立出来る強度と  好きな形に曲げてもそれを維持し続ける特性を持たせる事が出来た。又同時に引っ張り強度も高める事ができた。
【発明を実施するための最良の形態】
【０００６】本発明を使用する時には  所定の長さに切り、一端の剥離紙を一部剥がし、机や壁等の任意の面に貼り付け  もう一端の粘着面が希望する方向に向くように  針金入り粘着テープを曲げ  剥離紙を剥がしその粘着面に値札や、メモ、写真等表示したい物を貼り付ける。または  強度に心配のある箱状  板状棒状の面に巻き付け補強材として利用する。他にはブロック積み等の上下の接着面に使いその強度を高める事も出来る。【０００７】本発明を利用する事により値札や写真  他表示したい物を何処でも  貼り付け好きな方へ向け  見えるように出来る  例えば商品陳列棚の値札表示板として、他いろいろの使い方があるが  過ってぶつかっても  本発明の方が曲がるので安全である。【０００８】本発明に係る針金入り粘着テープは、工業的に量産する事が可能であるため、産業上の利用可能性を有する。
【図面の簡単な説明】
【０００９】
【図１】  針金入り粘着テープの斜視図
【図２】  帯状の芯を入れた場合の斜視図
【図３】  値札表示の使用例
【図４】  ブロック積み施工斜視図
【符号の説明】
【００１０】  １  粘着部
２  針金
３  剥離紙
４  表示したい物
【手続補正書】
【提出日】平成19年11月6日(2007.11.6)
【手続補正１】
【補正対象書類名】明細書
【補正対象項目名】全文
【補正方法】変更
【補正の内容】
【発明の詳細な説明】
【技術分野】
【０００１】本発明は、粘着テープ内部に針金等の芯材を入れて、テープに強度と柔軟性を持たせ  ねじ曲げたその形のままを維持出来る特性を持たせた、考案である。
【背景技術】
【０００２】従来、粘着テープは物と物を貼り合わせる機能を有するだけで  内部に心材の入ったテープ類は無かった、例えば  片側一端を貼り付けた面に対して、枝状に上方に自立させることは無理であった。
【発明が解決しようとする課題】
【０００３】テープ類というのは何れも、柔軟性のあるものに粘着力を持たせた物であり、表示したい物を立てて表示するには、透明ケースに入れるか、縦の面に貼り付けて  吊すしか無かった。又接着力はあっても  そのものの引っ張り力は弱かった、本発明はそのような点を解決することを課題とする。
【０００４】この課題を解決するための請求項１の発明は、粘着内部１に針金等の線材  又は網状  及び帯状の芯材２をテープの長手方向に配置し  その表面に剥離紙を貼り付けたもので、従来のテープより強度があり、曲げた形を持続し続ける特性を持つ  針金入り粘着テープである。
【０００５】本発明により、接着力のあるテープに自立出来る強度と  好きな形に曲げてもそれを維持し続ける特性を持たせる事が出来た。又同時に引っ張り強度も高める事ができた。
【発明を実施するための最良の形態】
【０００６】本発明を使用する時には  所定の長さに切り、一端の剥離紙を一部剥がし、机や壁等の任意の面に貼り付け  もう一端の粘着面が希望する方向に向くように  針金入り粘着テープを曲げ  剥離紙を剥がしその粘着面に値札や、メモ、写真等表示したい物を貼り付ける。または  強度に心配のある箱状  板状棒状の面に巻き付け補強材として利用する。他にはブロック積み等の上下の接着面に使いその強度を高める事も出来る。針金の材質を銅線にすれば電線として利用できる。【０００７】本発明を利用する事により値札や写真  他表示したい物を何処でも  貼り付け  好きな方へ向け  見えるように出来る  例えば商品陳列棚の値札表示板として、他いろいろの使い方があるが  過ってぶつかっても  本発明の方が曲がるので安全である。【０００８】本発明に係る針金入り粘着テープは、工業的に量産する事が可能であるため、産業上の利用可能性を有する。
(57)【要約】【課題】木酢液から褐色と煙臭を除去した木酢液及びその製造方法。【解決手段】褐色で煙臭が含有する木酢液に木炭の粉末、炭片を混合し、左回転で高速撹拌し吸着させ静置、濾過し無色無臭木酢液を製造する。【特許請求の範囲】
【請求項１】
褐色で煙臭の木酢液をステンレス容器に入れ適量の粉末木炭片を加えて混合し、左回転で高速撹拌した後静置、濾過する事で強酸性の木酢液を弱アルカリ性の無色で無臭の木酢液を製造する製造方法。
【発明の詳細な説明】
【技術分野】
【０００１】本発明は精製させた木酢液中に含まれる各種有効成分を保有した状態で無色無臭木酢液の製造方法に関するものである。
【背景技術】
【０００２】製造技術が中国からの輸入技術と言われ、木酢液は炭焼きの副産物として除虫、消臭、入浴剤等として利用されてきた。この木酢液の成分は分析の結果２００種類以上にものぼると言われ、その有効性と収益性が注目されている。
ところが、木酢液には淡黄色又は褐色で煙臭が含有され、利用範囲が制限されている。これを取除くため、蒸留処理等が取られてきたが褐色や煙臭は消えず、粗木酢液と変らないものとなる。【０００３】その改善方法として木酢液のＰＨを３〜５に調整後、電解処理に付して精製することも試みられるが（特許文献１）操作が面倒であるだけではなく、コスト面でも大変である。
【特許文献１】特開２００１−３２３２８２号  公報
【発明の開示】
【発明が解決しようとする課題】
【０００４】本発明は簡単でかつ安価な製造手段で無色無臭木酢液を製造する方法を提供するものである。
【課題を解決するための手段】
【０００５】本発明は常法で製造された全ての製品に適用される。これまで製品として用いる事の無かった経済性の無い木炭の粉末、炭片を採用する事により優れた精製効果が得られた。木炭は炭素の他にカリウム、カルシウム、ナトリウム、鉄アルミナ、マンガン等、多数の無機成分を含んでいる。木炭のＰＨには２種類ある。
木炭そのものの表面のＰＨと木炭からの溶出成分のＰＨである。この２つのＰＨが吸着性と脱臭性に影響するのである。木炭には無数の孔があり、この孔の大きさは極めて微細なものである。大きさはマイクロメートル（μｍ）単位のものである。
さらにこの孔はハニカム構造になっており、マクロ孔とミクロ孔に大別される。
この孔は非常に小さく１〜５ナノメートル（ｎｍ）でありその中間のメソ孔も存在する。木炭の粉末炭片はこの木炭と同じものである。【０００６】ステンレス容器に適量の木酢液と適量の粉末炭片を入れ混合する。混合された木酢液中に回転棒を立て左回転で高速撹拌する。木酢液と木炭の粉末炭片は吸着をし始め、左回転させる事で吸着度を増していく。この吸着した木酢液と粉末炭片を約２４時間静置する。約２４時間後、荒粉末炭片を除き、フェルトの濾布で濾過する。濾過をした木酢液を別のステンレル容器に入れ適量の粉末炭片を加え、左回転で高速撹拌する。さらに約２４時間静置し、フェルトの濾布で濾過すると、無色無臭の木酢液が残る。【０００７】濾過後の木酢液は無色無臭であり、ＰＨ６．２７、有機酸含量は０．０９％（対木酢液重量）であった。
【発明の効果】
【０００８】木酢液の活用分野は入浴剤、農業ガーデニング用の土壌改良剤、犬猫の消臭やアトピー性皮膚炎の緩和などにも効果があるとの報告も寄せられている。【０００９】本発明による無色無臭木酢液は有機酸含量が少なく酢酸が中和され、溶解タールはほとんど薬品の重量となった。
【発明を実施するための最良の形態】
【００１０】以下、本発明を実施例に基づいて説明する。
ステンレス容器を用意し適量の木酢液を適量の木炭の粉末炭片を入れ混合する。
そのステンレス容器に回転棒を入れて立てる。その回転棒を左回転で高速回転させる。左に高速回転させる事で木酢液と粉末炭片に求心力が働き吸着する。この吸着した木酢液と粉末炭片を約２４時間静置するとさらに吸着が進む。約２４時間静置した木酢液と粉末炭片から荒粉末炭片を除きフェルトの濾布を通し濾過する。
濾過した木酢液を別の容器に入れさらに適量の粉末炭片を加え回転棒を差し左回回転で高速撹拌すると木酢液と粉末炭片が吸着する。これを約２４時間静置し、フェルトの濾布を通し濾過すると無色無臭の木酢液が出来る。
回転エネルギー機能には拡散や分散、分解などの機能をもつ遠心力と収縮傾同をもつ融合、同化、集合の機能を持つ求心力がある。
本発明はこの求心力を持つ左回転のエネルギー機能を活用し木酢液と粉末炭片を吸着させ、木酢液の褐色の脱色と煙臭を脱臭し、無色無臭木酢液としたものである。
木酢液とは木炭を焼く時に出る煙を冷却させて出来た液体である。煙の凝縮液は、酢酸を主成分とするＰＨ３前後の酸性の液体である。２００種類以上の成分を含み、多くの薬効成分も含まれるが、淡黄色又は赤褐色で強烈な煙臭で、この臭い匂いを凝縮したものである。一方木炭は木材から煙、つまり熱分を取除いたものである。
木炭の成分は無定形炭素で出来ており実態は炭素質化合物である。木炭は炭素の他に水素、酸素、その他灰分として、カリウム、カルシウム、ナトリウム、鉄、アルミナマンガン等、多数のアルカリ性の無機成分を含んでいる。木炭のＰＨには２種類あり、木炭そのものの表面のＰＨと木炭からの溶出成分のＰＨである。ＰＨは酸性、アルカリ性を示す値である。この２つのＰＨが吸着性と脱臭性に影響するのである。木炭には無数の孔があり、この孔の大きさはマイクロメートル（μｍ）単位のきわめて微細なものである。この孔は木材の組織でありハニカム構造になっており、マクロ孔とミクロ孔に大別される。この孔は非常に小さく１〜５ナノメートル（ｎｍ）でありその中間のメソ孔も存在する。これらの孔が無数に空いているのが木炭の基本的な構造である。木炭の粉末炭片は、この微細で無数の孔をもった木炭と同じである。これまで木炭の粉末炭片は殆んど経済性をもたず、見捨てられていた。木酢液とこの木炭の粉末炭片を適量ずつ混合し左回転で、高速撹拌し、粉末炭片の無数の孔を木酢液が通ることにより吸着、脱臭、脱色が行われ無色無臭の木酢液となるのである回転のエネルギーは左回転のエネルギーと、右回転のエネルギーではその機能が異なり左回転のエネルギーは融合、同化、集合などの求心力を持ち、右回転のエネルギーは拡散、分散、分解などの遠心力を持つ。脱臭、脱色にこの左回転の求心力を持つエネルギーを活用し木酢液と粉末炭片を吸着させたものである。木酢液から粉末炭片を除きフェルトの濾布で濾過すると無色無臭の木酢液が残る。これが無色無臭木酢液である。
(57)【要約】【発明の課題】  通称「ＣＮ」として防犯スプレ−等に使用されている、クロロアセトフェノンは、「塩基・アミン・アルコ−ルとの接触不可」と解釈されている為か、世界的にクロロアセトフェノンに対しての溶剤としては、非アルコ−ル系の、トルエン・キシレン等を主成分とする有機溶剤が利用されて今日に至っており、ドイツ・アメリカ等から輸入されている、当該防犯スプレ−の内容物も、ほとんどが有機溶剤を溶媒としている。  しかし上記、トルエン・キシレン等を主成分とする有機溶剤の毒性は強く、生体や環境へのダメ−ジの小さな物ではなかった為、クロロアセトフェノンの溶解パ−セントを諸外国からの輸入商品の内容濃度に準じ、１％前後の低濃度に限定してアルコ−ル系溶剤に溶解させた組成構造物を製造する。【解決手段】  「エタノ−ル７０％程度」を「水３０％程度」と化合混合させ、乳化剤として「乳酸ナトリウム若干」を添加した溶液に、比較的安価な「２−クロロアセトフェノン重量パ−セント１％程度」を溶解させた組成構造溶液により、従来タブ−とされていた、溶質と触媒との嫌忌関係を１８０度転換させ、安価で生体並びに自然界へのダメ−ジの少ない、防犯用・有害鳥獣駆除用の「催涙性組成構造物」が本発明である。【特許請求の範囲】
【請求項１】
「エタノ−ル」と「水」を主成分とする混合溶剤に「２−クロロアセトフェノン」（ＣＡＳ  Ｎｏ  ５３２−２４−４）を溶解させた、防犯用・有害鳥獣駆除用の「催涙性組成物」。
【発明の詳細な説明】
【技術分野】
【０００１】  この発明は、「エタノ−ル」と「水」を主成分とする混合溶剤に「２−クロロアセトフェノン」（ＣＡＳ  Ｎｏ  ５３２−２４−４）を溶解させた、防犯用・有害鳥獣駆除用の「催涙性組成物」に関するものである。
【背景技術】
【０００２】  厚生労働省が設立し、中央労働災害防止協会に運営を委託している安全衛生情報センタ−（ＪＡＩＳＨ）の、平成１４年１２月１３日作成のクロロアセトフェノンに係るＭＳＤＳ（化学物質等安全デ−タシ−ト）の中の、安全性及び反応性の項目中の、他物質等との危険混触等に関しては、「塩基・アミン・アルコ−ルとの接触不可」と記載されており、この解釈の為にか、世界的にクロロアセトフェノンに対しての溶剤としては、非アルコ−ル系の、トルエン・キシレン等を主成分とする有機溶剤が利用されて今日に至っており、ドイツ・アメリカ等から輸入されている、当該防犯スプレ−の内容物も、ほとんどが有機溶剤を溶媒としている。【０００３】  しかし国内におけるクロロアセトフェノンのＭＳＤＳの安全性及び反応性の項目中の危険混触等に関しては「混触等、危険性有り」（純正化学株式会社ＭＳＤＳ）／「酸化クロム（ＶＩ）で酸化され安息香酸になる。」「避けるべき条件：日光・熱」（和光純薬工業株式会社ＭＳＤＳ）／「避けるべき条件：日光・熱・酸化剤との接触」（関東化学株式会社ＭＳＤＳ）等、アルコ−ルとの具体的接触の可否に関しては、明記されていない。【０００４】  又、ＭＳＤＳ上の、危険有害な分解生成物に関しても「燃焼すると、一酸化炭素、二酸化炭素、塩化水素ガスが発生」（安全衛生情報センタ−）／「強酸化剤または還元剤と接触または混合する場合、反応が起こり、主として塩化水素からなる有毒で腐食性の蒸気が生じる」（純正化学株式会社）／「一酸化炭素、ハロゲン化物」（和光純薬工業株式会社）／「一酸化炭素、塩素、塩化水素」（関東化学株式会社）等、アルコ−ルとの結合による有害物質に関しては、具体的には記載されていない。
【発明の開示】
【発明が解決しようとする課題】
【０００５】  安全衛生情報センタ−に対し「アルコ−ルとの接触の不可」に対しての根拠を問い合わせたところ「ハ−バ−ド大学等の論文を引用。高濃度の接触条件下における見解の可能性が大。」との解答があり、低濃度の条件下においては、アルコ−ルに溶解させても、塩化水素の発生等の、具体的な問題は発生しない可能性が出てきた為、クロロアセトフェノンの溶解パ−セントを低濃度に限定して、アルコ−ルに溶解させた組成構造物を製造する。【０００６】  触媒として使用するアルコ−ル系溶剤も「分子構造が単純で、水での希釈も可能」で「有機溶剤に比べ、生体や自然界へのダメ−ジの少ない」エタノ−ルを利用する。【０００７】  又、溶剤としてのエタノ−ルも、９６％の高濃度の物ではなく、水と化合させ、融解能力の許容範囲内で、なるべく濃度の低い物を使用する。
【発明を解決するための手段】
【０００８】１．  溶質であるクロロアセトフェノンは、安価の「２−クロロアセトフェノン」を使用し、溶剤に対しての重量パ−セントを１％程度とする。
２．  溶剤は、「エタノ−ル７０％程度」を「水３０％程度」と化合混合させ、乳化剤として「乳酸ナトリウム若干」を添加した溶液に、「２−クロロアセトフェノン重量パ−セント１％程度」を溶解させた、催涙性溶液の組成構造とする。
【０００９】  上記の組成構造溶液により、従来タブ−とされていた、溶質と触媒との嫌忌関係を１８０度転換させ、安価で生体並びに自然界へのダメ−ジの少ない、防犯用・有害鳥獣駆除用の「催涙性組成構造物」が本発明である。
【発明の効果】
【００１０】  本発明品をスプレ−缶等に封入し噴霧する事により、従来の有機溶剤を溶剤としていた催涙性スプレ−等の商品に比べ、金融機関等の防犯面並びに、有害鳥獣類の駆除面において、毒性の低い条件下で、相当な効果が期待できる。
【産業上の利用可能性】
【００１１】  コスト的にも比較的安く商品化でき、有機溶剤使用商品に比べ、生体や自然界へのダメ−ジの少ない条件下で、犯罪者に対しての防犯上の抑止効果と同時に、現在各自治体の抱えている、有害鳥獣類への対策面にも幅広い利用の可能性が期待できる。